(57)【要約】【課題】外部記憶媒体の挿入時の誤操作の低減を図る。【解決手段】挿入口への外部記憶媒体の誤操作を検出すると、該誤操作の履歴を表す履歴情報をフラッシュメモリに記憶させる処理を実施する。そして、挿入口へ外部記憶媒体が挿入されることを判定すると、履歴情報に基づいて誤操作防止のための報知を行うか否かを判定し（Ｓ２００、Ｓ２０２、Ｓ２０４、Ｓ２０６、Ｓ２０８）、誤操作防止のための報知を行うと判定された場合、外部記憶媒体の挿入時の誤操作を防止するための情報を報知する（Ｓ２１０、Ｓ２１２）。【選択図】図７
2008300013.tif 000002
【特許請求の範囲】
【請求項１】
挿入口への外部記憶媒体の誤操作を検出すると、該誤操作の履歴を表す履歴情報を記憶媒体に記憶させる履歴情報記憶手段と、
前記挿入口へ前記外部記憶媒体が挿入されることを判定すると、前記履歴情報に基づいて誤操作防止のための報知を行うか否かを判定する報知判定手段と、
前記報知判定手段により前記誤操作防止のための報知を行うと判定された場合、前記外部記憶媒体の挿入時の誤操作を防止するための情報を報知する報知手段と、を備えたことを特徴とする車載情報装置。
【請求項２】
前記報知判定手段は、ユーザの操作部への操作に応じて前記挿入口へ挿入される前記外部記憶媒体を特定し、該挿入口へ挿入される前記外部記憶媒体に対する誤操作について前記誤操作防止のための報知を行うか否かを判定し、
前記報知手段は、前記挿入口へ挿入される前記外部記憶媒体に対する誤操作について前記誤操作防止のための報知を行うことを特徴とする請求項１に記載の車載情報装置。
【請求項３】
前記履歴情報記憶手段は、前記誤操作の検出された回数を前記履歴情報に含めて記憶媒体に記憶させ、
前記報知判定手段は、前記履歴情報に基づいて過去の誤操作の回数が予め定められた基準回数よりも多い場合に、前記誤操作防止のための報知を行うと判定することを特徴とする請求項１または２に記載の車載情報装置。
【請求項４】
前記報知手段は、前記外部記憶媒体の正しい挿入方向を表す画像を表示手段に表示させることを特徴とする請求項１ないし３のいずれか１つに記載の車載情報装置。
【請求項５】
前記報知手段は、前記外部記憶媒体の挿入すべき挿入口を表す画像を表示手段に表示させることを特徴とする請求項１ないし４のいずれか１つに記載の車載情報装置。
【発明の詳細な説明】
【技術分野】
【０００１】
本発明は、外部記憶媒体を挿入する挿入口および表示部を有する車載情報装置に関する。
【背景技術】
【０００２】
従来、表示部を有する車載用情報装置として、自動車に搭載された装置のオン状態とオフ状態とを切り替える複数個のスイッチを装置の前面に設けられたタッチパネルディスプレイに表示し、複数個のスイッチから特定のスイッチが選択されると、そのスイッチが何のスイッチであるかを音声案内し、スイッチの選択が決定されると、そのスイッチによりオン状態とオフ状態とが切り替えられる装置の状態を音声案内するようにして、ブラインドタッチによる操作が可能となるように構成された装置がある（例えば、特許文献１参照）。
【特許文献１】特開２０００−２０３３５６号公報
【発明の開示】
【発明が解決しようとする課題】
【０００３】
上記したような表示部を有する車載用情報装置としては、特許文献１に記載された装置のような表示部が固定されたものの他に、例えば、筐体の前面に配置された表示部を移動させて筐体の前面に外部記憶媒体の挿入口が露出された状態とするチルト機構を備えた車載ナビゲーション装置がある。
【０００４】
このようなチルト機構を備えた車載ナビゲーション装置には、例えば、楽曲用のＤＶＤまたはＣＤの挿入口、地図データ用のＤＶＤまたはＣＤの挿入口、ＭＤの挿入口、メモリカードの挿入口など、様々な外部記憶媒体に対応できるように多数の挿入口を備えたものがある。これらの挿入口へ外部記憶媒体を挿入する際には、外部記憶媒体を正規の挿入口に正規の向きから挿入する必要がある。
【０００５】
このため、外部記憶媒体の挿入口の周辺には、挿入すべき外部記憶媒体の位置や挿入方向の説明が表示ラベルや刻印などにより示されている。これらの説明は、ユーザのオープンボタンの操作に応じて筐体の前面から表示部が移動して筐体の前面に外部記憶媒体の挿入口が露出された状態になると視認可能となる。
【０００６】
しかし、このような説明は、表示が小さく、また、奥まった場所に位置するため乗員から視認されにくいといった問題がある。更に、夜間のように周囲が暗くなると視認できなくなってしまうといった問題がある。
【０００７】
このため、例えば、楽曲用のＤＶＤの挿入口に地図データ用のＤＶＤを挿入してしまったり、ＣＤやＤＶＤの表裏を逆にして挿入してしまったり、ＭＤを誤った向きに挿入してしまうなど、異常な状態で外部記憶媒体が挿入口に挿入されてしまうことが考えられる。特に、ＭＤの外形は正方形をなしており挿入する向きが分かりにいため、ユーザが無理をしてＭＤを誤った向きに挿入するとＭＤ自体を損傷させてしまう可能性がある。
【０００８】
本発明は上記問題に鑑みたもので、外部記憶媒体の挿入時の誤操作の低減を図ることを目的とする。
【課題を解決するための手段】
【０００９】
本発明の第１の特徴は、挿入口への外部記憶媒体の誤操作を検出すると、該誤操作の履歴を表す履歴情報を記憶媒体に記憶させる履歴情報記憶手段と、挿入口へ外部記憶媒体が挿入されることを判定すると、履歴情報に基づいて誤操作防止のための報知を行うか否かを判定する報知判定手段と、報知判定手段により誤操作防止のための報知を行うと判定された場合、外部記憶媒体の挿入時の誤操作を防止するための情報を報知する報知手段と、を備えたことである。
【００１０】
このような構成では、挿入口へ外部記憶媒体が挿入されることを判定すると、記憶媒体に記憶された誤操作の履歴を表す履歴情報に基づいて誤操作防止のための報知を行うか否かの判定が行われ、誤操作防止のための報知を行うと判定された場合、外部記憶媒体の挿入時の誤操作を防止するための情報の報知が行われるので、外部記憶媒体の挿入時の誤操作の低減を図ることができる。また、挿入口への外部記憶媒体の誤操作が検出されない場合には、履歴情報が記憶媒体に記憶されないので、操作に慣れたユーザに対し、外部記憶媒体の挿入時の誤操作を防止するための情報を報知しないようにすることも可能である。
【００１１】
また、本発明の第２の特徴は、報知判定手段が、ユーザの操作部への操作に応じて挿入口へ挿入される外部記憶媒体を特定し、該挿入口へ挿入される外部記憶媒体に対する誤操作について誤操作防止のための報知を行うか否かを判定し、報知手段は、挿入口へ挿入される外部記憶媒体に対する誤操作について誤操作防止のための報知を行うことである。
【００１２】
このように、ユーザの操作部への操作に応じて挿入口へ挿入される外部記憶媒体を特定し、挿入口へ挿入される外部記憶媒体に対する誤操作について誤操作防止のための報知を行うことができる。
【００１３】
また、本発明の第３の特徴は、履歴情報記憶手段が、誤操作の検出された回数を履歴情報に含めて記憶媒体に記憶させ、報知判定手段は、履歴情報に基づいて過去の誤操作の回数が予め定められた基準回数よりも多い場合に、誤操作防止のための報知を行うと判定することである。
【００１４】
このような構成では、履歴情報に基づいて過去の誤操作の回数が予め定められた基準回数よりも多い場合に、誤操作防止のための報知を行うと判定されるので、例えば、誤操作を何度も実施するユーザに対して、誤操作防止のための報知を行うことが可能である。
【００１５】
また、本発明の第４の特徴は、報知手段が、外部記憶媒体の正しい挿入方向を表す画像を表示させることである。
【００１６】
このように、外部記憶媒体の正しい挿入方向を表す画像を表示させて、外部記憶媒体の挿入時の誤操作を防止するための情報を報知することができる。
【００１７】
また、本発明の第５の特徴は、報知手段が、外部記憶媒体の挿入すべき挿入口を表す画像を表示させることである。
【００１８】
このように、外部記憶媒体の挿入すべき挿入口を表す画像を表示させて、外部記憶媒体の挿入時の誤操作を防止するための情報を報知することができる。
【発明を実施するための最良の形態】
【００１９】
本発明の一実施形態に係る車載情報装置の構成を図１に示す。本車載情報装置は、ＤＶＤ／ＣＤデッキ１１、地図ディスク用デッキ１２、ＭＤデッキ１３、操作スイッチ群１４、表示部１５、チルトスライド機構１６、スピーカ１７および制御部１８を備えたナビゲーション装置１０として構成されている。本実施形態におけるナビゲーション装置１０は、チルトスライド機構１６により表示部１５が可倒すると、ＤＶＤ、ＣＤ、ＭＤ等の外部記憶媒体を挿入する挿入口が露出された状態となる構成となっている。
【００２０】
ＤＶＤ／ＣＤデッキ１１は、楽曲用データが記憶されたＤＶＤまたはＣＤを挿入する挿入口（図示せず）を備え、この挿入口へＤＶＤまたはＣＤが挿入されると、ＤＶＤまたはＣＤから楽曲用データを読み出して制御部１８へ出力する。
【００２１】
地図ディスク用デッキ１２は、地図用データが記憶されたＤＶＤまたはＣＤを挿入する挿入口（図示せず）を備え、この挿入口へＤＶＤまたはＣＤが挿入されると、ＤＶＤまたはＣＤから地図用データを読み出して制御部１８へ出力する。
【００２２】
なお、ＤＶＤ／ＣＤデッキ１１および地図ディスク用デッキ１２は、それぞれ挿入口にＤＶＤまたはＣＤが挿入されると、イニシャル処理を実施してＤＶＤまたはＣＤからデータの読み取りが正常か異常かを検出し、データの読み取りが正常である場合には、ｒｅａｄｙ信号を制御部１８へ出力する。また、ＤＶＤまたはＣＤの表裏が逆に挿入され、データ読み取り異常となった場合には、異常信号を制御部１８へ出力する。また、ＤＶＤ／ＣＤデッキ１１に地図用ＤＶＤまたはＣＤが挿入された場合、あるいは地図ディスク用デッキ１２に楽曲用ＤＶＤまたはＣＤが挿入された場合にも、異常信号が制御部１８へ出力されるようになっている。
【００２３】
ＭＤデッキ１３は、楽曲用データが記憶されたＭＤを挿入する挿入口を備え、この挿入口に挿入されたＭＤから楽曲用データを読み出して制御部１８へ出力する。本ＭＤデッキ１３は、ＭＤが誤った向きに挿入されると、強制的にＭＤを排出するとともに異常信号を制御部１８へ出力する誤挿入防止機能を備えている。
【００２４】
表示部１５は、液晶等のディスプレイを有し、制御部１８から入力される映像信号に応じた映像をディスプレイに表示させる。
【００２５】
操作スイッチ群１４は、表示部１５のディスプレイの周囲等に設けられたメカニカルスイッチ、表示部１５のディスプレイの前面に重ねて設けられたタッチスイッチ等によって構成され、ユーザのスイッチへの操作に応じた信号を制御部１８へ出力する。なお、タッチスイッチは、ディスプレイへの接触操作および接触位置を示す信号を制御部１８へ出力する。
【００２６】
チルトスライド機構１６は、モータおよびスライド機構を有し、制御部１８からの信号に応じてモータおよびチルトスライド機構を駆動して表示部１５を所定の位置に移動させる。本実施形態におけるナビゲーション装置１０には、図２（ａ）、（ｂ）に示すように、チルトスライド機構１６により筐体１９の前面に表示部１５が配置される全閉状態と、図３（ａ）、（ｂ）に示すように、チルトスライド機構１６により筐体１９の前面から表示部１５が移動して筐体１９の前面に、ＤＶＤ、ＣＤ、ＭＤ等の外部記憶媒体を挿入する挿入口が露出される全開状態とがある。なお、全開状態では、図３（ａ）に示すように、楽曲用データが記憶されたＤＶＤまたはＣＤを挿入するための挿入口１１ａ、地図ティスクを挿入するための挿入口１２ａ、ＭＤを挿入するための挿入口１３ａが露出された状態となる。また、表示部１５のディスプレイが上方向を向いてほぼ水平な状態となる。
【００２７】
スピーカ１７は、制御部１８から入力される音声信号に応じた音声を出力する。
【００２８】
制御部１８は、ＣＰＵ、ＲＡＭ、ＲＯＭ、フラッシュメモリ、Ｉ／Ｏ等を備えたコンピュータとして構成されており、ＣＰＵはＲＯＭに記憶されたプログラムに従って各種処理を行う。
【００２９】
本ナビゲーション装置１０は、ＧＰＳ受信機、車速センサ、ジャイロスコープ等の位置検出器（図示せず）を備えている、制御部１８には、この位置検出器から自車位置を特定するための信号が入力されるようになっている。
【００３０】
制御部１８の処理としては、この位置検出器から入力される自車位置を特定するための信号に基づいて自車位置を特定する自車位置特定処理、地図ディスク用デッキ１２から地図用データを読み出して自車位置周辺の地図上に自車位置マークを重ねて表示させる現在位置表示処理、ＤＶＤ／ＣＤデッキ１１から楽曲データを読み出して再生するＤＶＤ／ＣＤ再生処理、ＭＤデッキ１３から楽曲用データを読み出して再生するＭＤ再生処理等がある。
【００３１】
次に、本ナビゲーション装置１０のオーディオ機能の基本操作について説明する。乗員の操作に応じて、図４に示すようなイジェクトボタン表示画面が全閉状態の表示部１５に表示されるようになっている。このイジェクトボタン表示画面には、ＤＶＤまたはＣＤの排出操作を行うためのＤＶＤ／ＣＤイジェクトボタン１１ｂ、地図ディスクの排出操作を行うための地図ディスクイジェクトボタン１２ｂ、ＭＤの排出操作を行うためのＭＤイジェクトボタン１３ｂおよび表示部１５を全開状態にするためのオープンボタン（図中では、ＯＰＥＮと記す）１４ｂが表示されるようになっている。
【００３２】
なお、イジェクトが可能な外部記憶媒体のイジェクトボタンは黒色文字で選択可能に表示され、イジェクトが不可能な外部記憶媒体のイジェクトボタンは淡色文字（図中では白抜き文字で示す）で選択不可の状態で表示される。図４に、地図ディスク用デッキ１２に外部記憶媒体が挿入され、ＤＶＤ／ＣＤデッキ１１とＭＤデッキ１３には外部記憶媒体が挿入されていない状態の表示例を示す。図に示すように、地図ディスクイジェクトボタン１２ｂが黒色文字で選択可能に表示され、ＤＶＤ／ＣＤイジェクトボタン１１ｂとＭＤイジェクトボタン１３ｂは、淡色文字（図中では白抜き文字で示す）で選択不可の状態で表示される。
【００３３】
ここで、全閉状態で地図ディスクイジェクトボタン１２ｂがタッチ操作されると、表示部１５が移動して全開状態となり、地図ディスク用デッキ１２から地図ディスクが排出される。また、全閉状態でオープンボタン１４ｂがタッチ操作されると、表示部１５が移動して全開状態となり、ＤＶＤ、ＣＤ、ＭＤなど外部記憶媒体の挿入が可能となる。
【００３４】
また、全開状態になると、図５に示すような、表示部１５を筐体の前面へ戻すためのクローズボタン１４ｃが表示されたクローズボタン表示画面が表示される。このクローズボタン１４ｃがタッチ操作されると、表示部１５が移動して全閉状態に戻るようになっている。
【００３５】
本実施形態における制御部１８は、ＤＶＤ、ＣＤ、ＭＤ等の外部記憶媒体が異常な状態で外部記憶媒体の挿入口に挿入されると、異常操作を示す履歴情報をフラッシュメモリに記憶させる履歴情報記憶処理を行うとともに、次回、ユーザの操作により外部記憶媒体の挿入口への挿入操作の指示がなされたことを判定すると、操作履歴に基づいて異常操作を防止するための注意を報知する報知処理を行う。
【００３６】
次に、図６に従って、履歴情報記憶処理について説明する。制御部１８は、乗員の操作に応じて図４に示したイジェクトボタン表示画面を表示部１５に表示させ、このイジェクトボタン表示画面に表示されたオープンボタン１４ｂがタッチ操作されると、全開状態となるようにチルト機構１２により表示部１５を移動させる。制御部１８は、このように表示部１５を移動させて全開状態にすると、図６に示す処理を開始する。
【００３７】
まず、誤挿入があるか否かを判定する（Ｓ１００）。具体的には、ＤＶＤ／ＣＤデッキ１１、地図ディスク用デッキ１２、ＭＤデッキ１３のいずれかのデッキから異常信号が入力されたか否かに基づいて誤挿入があるか否かを判定する。
【００３８】
異常信号が入力されない場合、Ｓ１００の判定を繰り返す。また、いずれかのデッキから異常信号が入力された場合、Ｓ１００の判定はＹＥＳとなり、エラーログ（履歴情報）を記憶する（Ｓ１０２）。具体的には、異常信号が入力されたデッキの種別および累積回数をデッキ別にフラッシュメモリに記憶させる。
【００３９】
上記処理を繰り返し、ユーザの操作に応じて表示部１５が移動して全閉状態に戻ると、本処理を終了する。
【００４０】
次に、図７に従って、上記した制御部１８による報知処理について説明する。制御部１８は、ユーザにより挿入するディスクを選択するディスク選択画面の表示が指示されると、ＤＶＤ／ＣＤ、地図ディスク、ＭＤの中から特定のディスクを選択するディスク選択画面を表示させ、図７に示す処理を実施する。
【００４１】
まず、挿入口へ挿入されるディスクを判定する（Ｓ２００）。具体的には、ディスク選択画面に従ってユーザのタッチ操作により選択されたディスクを挿入ディスクとして判定する。
【００４２】
ここで、ＤＶＤ／ＣＤが挿入ディスクとして選択された場合、ＤＶＤ／ＣＤが挿入口へ挿入されるディスクであると特定する（Ｓ２０２）。
【００４３】
また、地図ディスクが挿入ディスクとして選択された場合、地図ディスクが挿入口へ挿入されるディスクであると特定する（Ｓ２０４）。
【００４４】
また、ＭＤが挿入ディスクとして選択された場合、ＭＤが挿入口へ挿入されるディスクであると特定する（Ｓ２０６）。
【００４５】
Ｓ２０８では、フラッシュメモリに記憶された履歴情報に基づいて誤操作防止のための注意喚起表示を行うか否かを判定する（Ｓ２０８）。例えば、Ｓ２０２にて、挿入口へ挿入されるディスクがＤＶＤ／ＣＤであると特定された場合、履歴情報に基づいてＤＶＤ／ＣＤに対する過去の誤操作の回数が予め定められた基準回数（例えば、３回）よりも多いか否かを判定し、過去の誤操作の回数が基準回数よりも多いと判定された場合に、誤操作防止のための注意喚起表示を行うと判定する。
【００４６】
また、Ｓ２０４にて、挿入口へ挿入されるディスクが地図ディスクであると特定された場合には、履歴情報に基づいて地図ディスクに対する過去の誤操作の回数が予め定められた基準回数よりも多いと判定された場合に、誤操作防止のための注意喚起表示を行うと判定する。
【００４７】
同様に、Ｓ２０６にて、挿入口へ挿入されるディスクがＭＤであると特定された場合には、履歴情報に基づいてＭＤに対する過去の誤操作の回数が予め定められた基準回数よりも多いと判定された場合に、誤操作防止のための注意喚起表示を行うと判定する。
【００４８】
ここで、誤操作防止のための注意喚起表示を行うと判定された場合、挿入口へ挿入されるディスクに対する誤操作について誤操作防止のための注意喚起表示を行う（Ｓ２１０）。具体的には、ディスクの正しい挿入方法を表す画像とディスクの挿入すべき挿入口を表す画像を表示部１５に表示させる。例えば、挿入口へ挿入されるディスクがＤＶＤ／ＣＤの場合には、図８に示すようなディスクの正しい挿入方法を表す画像Ｐ１とディスクの挿入すべき挿入口を表す画像Ｐ２を表示部１５に表示させる。また、挿入口へ挿入されるディスクがＭＤの場合には、図９に示すようなディスクの正しい挿入方法を表す画像Ｐ３とディスクの挿入すべき挿入口を表す画像Ｐ４を一定時間表示部１５に表示させる。
【００４９】
次のＳ２１２では、誤操作防止のための注意喚起音を出力する。具体的には、表示部１５への表示に従い誤操作防止のための注意喚起音をスピーカ１７から音声出力させる。例えば、挿入口へ挿入されるディスクがＤＶＤ／ＣＤの場合には、「ディスプレイのディスク挿入位置に、レーベル面を上にして挿入してください」といった音声を音声出力させる。
【００５０】
そして、Ｓ２１０、Ｓ２１２による報知を一定時間継続すると、次に、表示部１５のディスプレイ上にコップ、缶、ペットボトル等の物を置かないように警告表示を行う（Ｓ２１４）。図１０に、この警告表示の表示例を示す。図に示すように、表示部１５には、ディスプレイ上にコップを置かないように警告する画像Ｐ５が表示される。
【００５１】
次に、表示部１５のディスプレイに何かが置かれているか否かを判定する処理を実施する（Ｓ３００）。
【００５２】
図１１に、この判定処理のフローチャートを示す。この判定処理では、図１１に示すような表示部１５に設けられたタッチスイッチから入力されるディスプレイへの接触操作および接触位置を示す信号に基づいて物体感知領域の面積を算出し、この物体感知領域の面積を予め定められた閾値と比較してディスプレイ上に物が置かれたか否かを判定する。
【００５３】
まず、ディスプレイの物体感知領域の水平方向の長さであるＸ軸成分差ΔＸを算出する（Ｓ３０２）。図１２に示す斜線領域に対する接触操作および接触位置を示す信号がタッチスイッチから入力された場合、ディスプレイの物体感知領域（斜線領域）の最大Ｘ軸成分をＸｍａｘ、最小Ｘ軸成分をＸｍｉｎとして、Ｘ軸成分差ΔＸ＝Ｘｍａｘ−Ｘｍｉｎを算出する。
【００５４】
次に、ディスプレイの物体感知領域の垂直方向の長さであるＹ軸成分差ΔＹを算出する（Ｓ３０４）。図１２に示す斜線領域に対する接触操作および接触位置を示す信号がタッチスイッチから入力された場合、ディスプレイの物体感知領域（斜線領域）の最大Ｙ軸成分をＹｍａｘ、最小Ｙ軸成分をＹｍｉｎとして、Ｙ軸成分差ΔＹ＝Ｙｍａｘ−Ｙｍｉｎを算出する。
【００５５】
次に、ディスプレイの物体感知領域の面積Ｓを算出する（Ｓ３０６）。ディスプレイの物体感知領域の面積Ｓ＝ΔＸ×ΔＹとして算出する。
【００５６】
次に、ディスプレイの物体感知領域の面積Ｓが予め定められた閾値Ｓｔｈよりも大きいか否かに基づいてディスプレイ上に物が置かれたか否かを判定する（Ｓ３０８）。なお、閾値Ｓｔｈは、通常、ユーザが指でタッチ操作する際にタッチスイッチにより検出される領域の面積よりも一定値以上大きな値が設定される。
【００５７】
ここで、ディスプレイの物体感知領域の面積Ｓが予め定められた閾値Ｓｔｈ以下の場合、Ｓ３０８の判定はＮＯとなり、すなわち、図７のＳ３００の判定はＮＯとなり、Ｓ３００の判定を繰り返す。
【００５８】
また、ユーザがディスプレイ上にコップ等の物を置いた場合、ディスプレイの物体感知領域の面積Ｓが予め定められた閾値Ｓｔｈよりも大きくなり、Ｓ３０８の判定はＹＥＳとなり、すなわち、図７のＳ３００の判定はＹＥＳとなり、Ｓ４００へ進む。
【００５９】
このように、ディスプレイの物体感知領域の面積Ｓと閾値Ｓｔｈを比較してディスプレイ上に物が置かれたか否かの判定が行われる。
【００６０】
図７の説明に戻り、Ｓ４００では、警告表示を行う。具体的には、図１０に示したディスプレイ上にコップを置かないように警告する画像Ｐ５を点滅表示させる。
【００６１】
また、Ｓ４０２では、警告音を出力する。例えば、「ディスプレイ上に物を置かないでください。」といった音声をスピーカ１７から出力させ、Ｓ３００へ戻る。
【００６２】
そして、ユーザの操作に応じて表示部１５が移動して全閉状態に戻ると、本処理を終了する。
【００６３】
上記した構成によれば、挿入口へ外部記憶媒体が挿入されることを判定すると、記憶媒体に記憶された誤操作の履歴を表す履歴情報に基づいて誤操作防止のための報知を行うか否かの判定が行われ、誤操作防止のための報知を行うと判定された場合、外部記憶媒体の挿入時の誤操作を防止するための情報の報知が行われるので、外部記憶媒体の挿入時の誤操作の低減を図ることができる。また、挿入口への外部記憶媒体の誤操作が検出されない場合には、履歴情報が記憶媒体に記憶されないので、操作に慣れたユーザに対し、外部記憶媒体の挿入時の誤操作を防止するための情報を報知しないようにすることも可能である。
【００６４】
また、ユーザの操作部への操作に応じて挿入口へ挿入される外部記憶媒体を特定し、挿入口へ挿入される外部記憶媒体に対する誤操作について誤操作防止のための報知を行うことができる。
【００６５】
また、履歴情報に基づいて過去の誤操作の回数が予め定められた基準回数よりも多い場合に、誤操作防止のための報知を行うと判定されるので、例えば、誤操作を何度も実施するユーザに対して、誤操作防止のための報知を行うことが可能である。
【００６６】
また、外部記憶媒体の正しい挿入方向を表す画像を表示させて、外部記憶媒体の挿入時の誤操作を防止するための情報を報知することができる。
【００６７】
また、外部記憶媒体の挿入すべき挿入口を表す画像を表示させて、外部記憶媒体の挿入時の誤操作を防止するための情報を報知することができる。
【００６８】
また、外部記憶媒体の挿入時の誤操作を防止するための情報が報知された後、表示部１５のディスプレイ上にコップ、缶、ペットボトル等の物を置かないように警告表示が行われるので、全開状態となり、表示部１５のディスプレイが上方向を向いてほぼ水平な状態となったときに、例えば、表示部１５のディスプレイ上に飲料の入ったコップが置かれ、振動などによりコップの中の飲料がナビゲーション装置内に入り込むような状況を防止することが可能である。
【００６９】
更に、表示部のディスプレイへの接触操作および接触位置を示す信号を出力するタッチスイッチから入力される信号に基づいてディスプレイ上に物体が置かれたか否かを判定し、ディスプレイ上に物体が置かれたと判定された場合、ディスプレイ上にコップを置かないように警告することができる。
【００７０】
なお、本発明は上記実施形態に限定されるものではなく、本発明の趣旨に基づいて種々なる形態で実施することができる。
【００７１】
例えば、上記実施形態では、筐体の前面に配置された表示部を移動させて筐体の前面に外部記憶媒体の挿入口が露出された状態とするチルトスライド機構を有するナビゲーション装置を例に車載情報装置について説明したが、ナビゲーション装置以外の表示部が可倒する車載情報装置、例えば、車載オーディオ装置等に適用してもよい。また、表示部が可倒しなくても外部記憶媒体の挿入口が露出された状態となる車載情報装置に適用してもよい。
【００７２】
また、上記実施形態では、ユーザの操作に応じて挿入口へ外部記憶媒体が挿入されることを判定すると、履歴情報に基づいて誤操作防止のための報知を行うか否かを判定し、誤操作防止のための報知を行うと判定された場合、外部記憶媒体の挿入時の誤操作を防止するための情報を報知する例を示したが、例えば、ユーザの操作に従って、図１３に示すような、外部記憶媒体の挿入方法の詳細説明を表示させるための詳細説明表示ボタン（図中では、ｄｅｔａｉｌと記す）および外部記憶媒体の挿入時の注意事項を説明するための注意事項説明表示ボタン（図中では、ｃａｕｔｉｏｎと記す）を含む画面を表示部１５に表示させ、ユーザの説明表示ボタンへの操作に応じて各種説明表示を行うようにしてもよい。
【００７３】
また、上記実施形態では、Ｓ２０８にて、過去の誤操作の回数が基準回数よりも多いか否かに基づいて誤操作防止のための報知を行うか否かを判定するか否かを判定する例を示したが、この例に限定されるものではなく、例えば、過去の誤操作の頻度に基づいて誤操作防止のための報知を行うか否かを判定してもよい。また、過去の誤操作の回数と過去の誤操作の頻度の組合せに基づいて誤操作防止のための報知を行うか否かを判定してもよい。また、前回と同じ異常操作が連続して操作されたか否かを示す情報を履歴情報として記憶させておき、前回と同じ異常操作が連続して操作されたか否かに基づいて誤操作防止のための報知を行うか否かを判定してもよい。
【００７４】
また、上記実施形態では、Ｓ２０８にて、過去の誤操作の回数が基準回数よりも多いか否かを判定し、過去の誤操作の回数が基準回数よりも多いと判定された場合に、図８、図９に示したように、誤操作について誤操作防止のための注意喚起表示を行う例を示したが、例えば、過去の誤操作の回数に応じて、表示色を変化させたり、図柄を変化させたり、点滅させたりして、より認識され易くなるような強調表示を行うようにしてもよい。
【００７５】
また、上記実施形態では、Ｓ１１２にて誤操作防止のための注意喚起音を音声出力する例を示したが、例えば、誤操作防止のための注意喚起音をビープ音として出力するようにしてもよい。
【００７６】
また、上記実施形態では、外部記憶媒体として、ＤＶＤ／ＣＤ、地図ディスク、ＭＤを例に示したが、これらの外部記憶媒体に限定されるものではなく、例えば、メモリカード（フラッシュメモリカード、メモリスティック、ＳＤカード、ｍｉｎｉＳＤカード等）、ポータブルハードディスクドライブ等に適用してもよい。
【００７７】
また、上記実施形態では、挿入口へ外部記憶媒体が挿入されることを判定すると、履歴情報に基づいて誤操作防止のための報知を行うか否かを判定し、誤操作防止のための報知を行うと判定された場合、外部記憶媒体の挿入時の誤操作を防止するための情報を報知する例を示したが、履歴情報に基づく誤操作防止のための報知を行うか否かの判定を実施することなく、挿入口へ外部記憶媒体が挿入されることを判定した場合に、外部記憶媒体の挿入時の誤操作を防止するための情報を報知するようにしてもよい。
【００７８】
上記実施形態では、時間帯と関係なくＳ２１０、Ｓ２１２、Ｓ２１４にて誤操作を防止するための情報を報知する例を示したが、例えば、車両の車幅灯または前照灯の点灯時に車両バッテリから供給されるイルミ電源の電源供給状態に基づいて夜間であるか昼間であるかを推定し、夜間であると推定した場合に、Ｓ２１０、Ｓ２１２およびＳ２１４の報知を実施し、昼間であると推定した場合には、Ｓ２１０、Ｓ２１２およびＳ２１４の報知を実施しないようにしてもよい。
【００７９】
また上記実施形態では、図８に示したように、ディスクの正しい挿入方法を表す画像Ｐ１とディスクの挿入すべき挿入口を表す画像Ｐ２を表示部１５に表示させる例を示したが、例えば、ＤＶＤ／ＣＤデッキ１１が、１２ｃｍタイプのＣＤに対応し８ｃｍタイプのＣＤに対応していないような場合には、８ｃｍのＣＤを挿入しないように注意する画像を表示部１５に表示させてもよい。
【００８０】
なお、上記実施形態における構成と特許請求の範囲の構成との対応関係について説明すると、Ｓ１００とＳ１０２が履歴情報記憶手段に相当し、Ｓ２００、Ｓ２０２、Ｓ２０４、Ｓ２０６およびＳ２０８が報知判定手段に相当し、Ｓ２１０とＳ２１２が報知手段に相当する。
【図面の簡単な説明】
【００８１】
【図１】本発明の一実施形態に係る車載情報装置の構成を示す図である。
【図２】（ａ）は、全閉状態のナビゲーション装置の正面から見た図、（ｂ）は、全閉状態のナビゲーション装置の右側面から見た図である。
【図３】（ａ）は、全開状態のナビゲーション装置の正面から見た図、（ｂ）は、全開状態のナビゲーション装置の右側面から見た図である。
【図４】ナビゲーション装置のイジェクトボタン表示画面の表示例である。
【図５】ナビゲーション装置のクローズボタン表示画面の表示例である。
【図６】制御部による履歴情報記憶処理のフローチャートである。
【図７】制御部による報知処理のフローチャートである。
【図８】挿入口へ挿入されるディスクがＤＶＤ／ＣＤの場合における、誤操作防止のための注意喚起表示例である。
【図９】挿入口へ挿入されるディスクがＭＤの場合における、誤操作防止のための注意喚起表示例である。
【図１０】表示部のディスプレイ上にコップ、缶、ペットボトル等の物を置かないように警告するための警告表示例である。
【図１１】制御部による報知処理に含まれる判定処理のフローチャートである。
【図１２】ディスプレイ上に物が置かれたか否かの判定について説明するための図である。
【図１３】詳細説明表示ボタンと注意事項説明表示ボタンを含む画面の表示例である。
【符号の説明】
【００８２】
１０…ナビゲーション装置、１１…ＤＶＤ／ＣＤデッキ、
１２…地図ディスク用デッキ、１３…ＭＤデッキ、１４…表示部、１５…表示部、
１６…チルトスライド機構、１７…スピーカ、１８…制御部、１９…筐体。
【図１】
2008300013.tif 000003
【図２】
2008300013.tif 000004
【図３】
2008300013.tif 000005
【図４】
2008300013.tif 000006
【図５】
2008300013.tif 000007
【図６】
2008300013.tif 000008
【図７】
2008300013.tif 000009
【図８】
2008300013.tif 000010
【図９】
2008300013.tif 000011
【図１０】
2008300013.tif 000012
【図１１】
2008300013.tif 000013
【図１２】
2008300013.tif 000014
【図１３】
2008300013.tif 000015